(57)【要約】【課題】冷蔵庫の扉の開閉状態など、電気機器の使用状態毎に電力量を計測し管理することが可能な電力計測装置を提供する。【解決手段】電力演算部１３は、電流計測部１１による電流計測値と電圧計測部１２による電圧計測値とを入力し、電気機器の供給電力を演算により算出する。開閉状態判断部１４は、開閉状態検出部２１から出力される開閉状態信号に基づき、開閉状態検出部２１により検出された電気機器の所定部位の開閉状態を判断する。切替部１５は、開閉状態判断部１４による開閉状態判断結果に応じて、電力演算部１３により算出した電力値の出力先を切り替え、閉じ状態積算電力保持部１６または開き状態積算電力保持部１７に算出電力値を出力する。閉じ状態積算電力保持部１６、開き状態積算電力保持部１７において、閉じ状態と開き状態とのそれぞれの状態別に積算電力を保持し、状態別積算電力表示等に用いる。【選択図】図１
2011027432.tif 000002
【特許請求の範囲】
【請求項１】
電気機器における所定部位の開閉状態を判断する開閉状態判断部と、
前記電気機器に供給される電力量を計測する電力計測部と、
前記開閉状態判断結果に基づき、開閉の状態毎に前記電力量を処理する状態別電力処理部と、
を備える電力計測装置。
【請求項２】
請求項１に記載の電力計測装置であって、
前記状態別電力処理部は、前記所定部位の開き状態、閉じ状態の各状態毎に前記電力量を積算する状態別電力積算部を有して構成される電力計測装置。
【請求項３】
請求項２に記載の電力計測装置であって、
前記状態別電力処理部は、前記状態毎に積算された積算電力を保持する状態別積算電力保持部を有して構成される電力計測装置。
【請求項４】
請求項１に記載の電力計測装置であって、
前記所定部位の開閉回数、開き時間、電力量を表示する表示部を備える電力計測装置。
【請求項５】
請求項４に記載の電力計測装置であって、
前記表示部は、所定期間毎の前記所定部位の開閉回数、開き時間、電力量を時系列で表示する電力計測装置。
【請求項６】
請求項１に記載の電力計測装置であって、
前記所定部位の開き状態における電力量を表示する表示部を備える電力計測装置。
【請求項７】
請求項１に記載の電力計測装置であって、
前記状態別電力処理部は、前記所定部位の開閉が無い場合の電力量と開閉があった場合の電力量とから開閉回数または開き時間に対する電力量増加分を算出し、
前記電力量増加分を表示する表示部を備える電力計測装置。
【請求項８】
請求項４〜７のいずれかに記載の電力計測装置であって、
前記表示部は、前記所定部位が開き状態になった場合のみ表示更新間隔を短くする電力計測装置。
【請求項９】
請求項１〜８のいずれかに記載の電力計測装置であって、
前記開閉状態判断部は、電気機器としての冷蔵庫の扉の開閉状態を判断するものであり、
前記状態別電力処理部は、前記扉の開き状態と閉じ状態の開閉状態に応じて電力量を処理する電力計測装置。
【請求項１０】
請求項１に記載の電力計測装置であって、
前記電気機器の所定の着座部位における着座状態を判断する着座状態判断部を備え、
前記状態別電力処理部は、前記開閉状態判断結果と前記着座状態判断結果とに基づき、開閉及び着座の状態毎に前記電力量を処理する電力計測装置。
【請求項１１】
請求項１０に記載の電力計測装置であって、
前記状態別電力処理部は、前記所定部位の開き状態、閉じ状態、座り状態の各状態毎に前記電力量を積算する状態別電力積算部を有して構成される電力計測装置。
【請求項１２】
請求項１０に記載の電力計測装置であって、
前記所定部位の開き時間、座り時間、電力量を表示する表示部を備える電力計測装置。
【請求項１３】
請求項１２に記載の電力計測装置であって、
前記表示部は、所定期間毎の前記所定部位の開き時間、座り時間、電力量を時系列で表示する電力計測装置。
【請求項１４】
請求項１０に記載の電力計測装置であって、
前記所定部位が開いた状態でかつ着座部位が座り状態でない場合の開き状態における電力量を表示する表示部を備える電力計測装置。
【請求項１５】
請求項１０に記載の電力計測装置であって、
前記所定部位が開いた状態でかつ着座部位が座り状態である場合の座り状態における電力量を表示する表示部を備える電力計測装置。
【請求項１６】
請求項１２〜１５のいずれかに記載の電力計測装置であって、
前記表示部は、前記所定部位が座り状態になった場合のみ表示更新間隔を短くする電力計測装置。
【請求項１７】
請求項１２〜１５のいずれかに記載の電力計測装置であって、
前記表示部は、前記所定部位が座り状態になった場合のみ表示を行う電力計測装置。
【請求項１８】
請求項１０〜１７のいずれかに記載の電力計測装置であって、
前記開閉状態判断部は、電気機器としての温水便座装置の蓋の開閉状態を判断するものであり、
前記着座状態判断部は、前記温水便座装置の便座への着座状態を判断するものであり、
前記状態別電力処理部は、前記蓋の開き状態と閉じ状態、並びに前記便座への座り状態に基づく開閉状態及び着座状態に応じて電力量を処理する電力計測装置。
【請求項１９】
請求項１または１０に記載の電力計測装置であって、
前記電気機器の電源供給ラインの電源プラグを接続可能なＡＣアウトレットを備え、コンセントに内蔵されるコンセント内蔵型の電力計測装置。
【請求項２０】
請求項１または１０に記載の電力計測装置であって、
前記電気機器の電源供給ラインの電源プラグを接続可能なＡＣアウトレットと、コンセントのＡＣアウトレットに接続可能なＡＣプラグとを備え、コンセントに着脱可能なコンセント装着型の電力計測装置。
【発明の詳細な説明】
【技術分野】
【０００１】
本発明は、機器において使用する電力を計測する電力計測装置に関する。
【背景技術】
【０００２】
家庭、オフィスなどにおいて、電気機器が使用する電力を計測する電力計測装置が種々提案されている。この種の電力計測装置としては、屋外設置型のもの、分電盤内蔵型のもの、ＡＣアウトレットを備えたコンセント装着型のものなどがある。また、計測した電力量を用いて、電気機器の電力使用量などの使用状態を管理するシステムが提案されている。例えば、特許文献１には、冷蔵庫の使い方比較システムとして、複数の冷蔵庫から使用状況データを集計し統計処理して比較することで、自分の冷蔵庫の電力使用量を客観的に評価できるようにしたシステムが開示されている。
【先行技術文献】
【特許文献】
【０００３】
【特許文献１】特開２００９−００２６４４号公報
【発明の概要】
【発明が解決しようとする課題】
【０００４】
上記のような従来の電力計測装置及びシステムでは、例えば冷蔵庫の扉の開閉状態など、各種の使用状態毎に電力量を計測し、使用時の無駄な電力を計測、把握することが困難であった。
【０００５】
本発明は、上記事情に鑑みてなされたもので、その目的は、冷蔵庫の扉の開閉状態など、電気機器の使用状態毎に電力量を計測し管理することが可能な電力計測装置を提供することにある。
【課題を解決するための手段】
【０００６】
本発明は、電気機器における所定部位の開閉状態を判断する開閉状態判断部と、前記電気機器に供給される電力量を計測する電力計測部と、前記開閉状態判断結果に基づき、開閉の状態毎に前記電力量を処理する状態別電力処理部と、を備える電力計測装置を提供する。
【０００７】
また、本発明は、上記の電力計測装置であって、前記状態別電力処理部は、前記所定部位の開き状態、閉じ状態の各状態毎に前記電力量を積算する状態別電力積算部を有して構成されるものを含む。
【０００８】
また、本発明は、上記の電力計測装置であって、前記状態別電力処理部は、前記状態毎に積算された積算電力を保持する状態別積算電力保持部を有して構成されるものを含む。
【０００９】
また、本発明は、上記の電力計測装置であって、前記所定部位の開閉回数、開き時間、電力量を表示する表示部を備えるものを含む。
【００１０】
また、本発明は、上記の電力計測装置であって、前記表示部は、所定期間毎の前記所定部位の開閉回数、開き時間、電力量を時系列で表示するものを含む。
【００１１】
また、本発明は、上記の電力計測装置であって、前記所定部位の開き状態における電力量を表示する表示部を備えるものを含む。
【００１２】
また、本発明は、上記の電力計測装置であって、前記状態別電力処理部は、前記所定部位の開閉が無い場合の電力量と開閉があった場合の電力量とから開閉回数または開き時間に対する電力量増加分を算出し、前記電力量増加分を表示する表示部を備えるものを含む。
【００１３】
また、本発明は、上記の電力計測装置であって、前記表示部は、前記所定部位が開き状態になった場合のみ表示更新間隔を短くするものを含む。
【００１４】
また、本発明は、上記の電力計測装置であって、前記開閉状態判断部は、電気機器としての冷蔵庫の扉の開閉状態を判断するものであり、前記状態別電力処理部は、前記扉の開き状態と閉じ状態の開閉状態に応じて電力量を処理するものを含む。
【００１５】
また、本発明は、上記の電力計測装置であって、前記電気機器の所定の着座部位における着座状態を判断する着座状態判断部を備え、前記状態別電力処理部は、前記開閉状態判断結果と前記着座状態判断結果とに基づき、開閉及び着座の状態毎に前記電力量を処理するものを含む。
【００１６】
また、本発明は、上記の電力計測装置であって、前記状態別電力処理部は、前記所定部位の開き状態、閉じ状態、座り状態の各状態毎に前記電力量を積算する状態別電力積算部を有して構成されるものを含む。
【００１７】
また、本発明は、上記の電力計測装置であって、前記所定部位の開き時間、座り時間、電力量を表示する表示部を備えるものを含む。
【００１８】
また、本発明は、上記の電力計測装置であって、前記表示部は、所定期間毎の前記所定部位の開き時間、座り時間、電力量を時系列で表示するものを含む。
【００１９】
また、本発明は、上記の電力計測装置であって、前記所定部位が開いた状態でかつ着座部位が座り状態でない場合の開き状態における電力量を表示する表示部を備えるものを含む。
【００２０】
また、本発明は、上記の電力計測装置であって、前記所定部位が開いた状態でかつ着座部位が座り状態である場合の座り状態における電力量を表示する表示部を備えるものを含む。
【００２１】
また、本発明は、上記の電力計測装置であって、前記表示部は、前記所定部位が座り状態になった場合のみ表示更新間隔を短くするものを含む。
【００２２】
また、本発明は、上記の電力計測装置であって、前記表示部は、前記所定部位が座り状態になった場合のみ表示を行うものを含む。
【００２３】
また、本発明は、上記の電力計測装置であって、前記開閉状態判断部は、電気機器としての温水便座装置の蓋の開閉状態を判断するものであり、前記着座状態判断部は、前記温水便座装置の便座への着座状態を判断するものであり、前記状態別電力処理部は、前記蓋の開き状態と閉じ状態、並びに前記便座への座り状態に基づく開閉状態及び着座状態に応じて電力量を処理するものを含む。
【００２４】
また、本発明は、上記の電力計測装置であって、前記電気機器の電源供給ラインの電源プラグを接続可能なＡＣアウトレットを備え、コンセントに内蔵されるコンセント内蔵型のものを含む。
【００２５】
また、本発明は、上記の電力計測装置であって、前記電気機器の電源供給ラインの電源プラグを接続可能なＡＣアウトレットと、コンセントのＡＣアウトレットに接続可能なＡＣプラグとを備え、コンセントに着脱可能なコンセント装着型のものを含む。
【００２６】
上記構成により、例えば冷蔵庫の扉の開閉状態など、電気機器の使用状態毎に電力量を計測し管理することが可能となる。この際、冷蔵庫などに適用する場合、開閉状態判断部を用いることで、冷蔵庫の扉などの所定部位の開閉状態に応じて、開き状態と閉じ状態の状態別に電力量を積算し、積算電力の保持、表示等が可能である。これにより、同一の計測装置によって安価かつ容易に状態毎の電力量の計測、管理ができるようになる。また、開閉回数、開き時間、電力量などを表示することで、無駄な開閉や無駄な開き時間、開き状態における無駄な電力量などを使用者が容易に認識でき、省エネルギー対策に有効活用できる。また、開き状態になった場合のみに表示更新間隔を短くすることで、無駄な表示の更新を省くことができる。
【００２７】
また、温水便座装置などに適用する場合、開閉状態判断部及び着座状態判断部を用いることで、温水便座装置の蓋などの所定部位の開閉状態と便座などへの着座状態とに応じて、開き状態、閉じ状態、座り状態の各状態別に電力量を積算し、積算電力の保持、表示等が可能である。また、開き時間、座り時間、電力量などを表示することで、閉め忘れによる無駄な電力量、必要以上の長時間使用による無駄な電力量などを使用者が容易に認識でき、省エネルギー対策に有効活用できる。また、開き状態になった場合のみに表示更新間隔を短くすることで、無駄な表示の更新を省くことができる。また、座り状態になった場合のみ表示を行うことで、人が居ないときに表示する無駄なエネルギー消費を省くことができる。
【００２８】
また、ＡＣアウトレットを備えたコンセント内蔵型の構成とすることで、接続される電気機器の開き状態、閉じ状態、座り状態等の状態別の電力量を容易に取得することができる。また、ＡＣアウトレット及びＡＣプラグを備えたコンセントに着脱可能なコンセント装着型の構成とすることで、取り付けが容易で安価な装置を実現でき、接続される電気機器について電力量を状態別に積算等して管理することができる。また、電力計測装置を冷蔵庫、温水便座装置等と一体構成とすることで、スペース化、低コスト化を図ることができる。
【発明の効果】
【００２９】
本発明によれば、冷蔵庫の扉の開閉状態など、電気機器の使用状態毎に電力量を計測し管理することが可能な電力計測装置を提供できる。
【図面の簡単な説明】
【００３０】
【図１】本発明の第１の実施形態に係る電力計測装置の構成を示すブロック図
【図２】本発明の第２の実施形態に係る電力計測装置の構成を示すブロック図
【図３】本発明の第３の実施形態に係る電力計測装置の外観構成を示す斜視図
【図４】第３の実施形態における表示部に表示する表示内容の第１例を示す図
【図５】第３の実施形態における表示部に表示する表示内容の第２例を示す図
【図６】第３の実施形態における表示部に表示する表示内容の第３例を示す図
【図７】本発明の第４の実施形態に係る電力計測装置及び電気機器の外観構成を示す模式図
【図８】本発明の第５の実施形態に係る電力計測装置の構成を示すブロック図
【図９】本発明の第６の実施形態に係る電力計測装置の構成を示すブロック図
【図１０】第６の実施形態における表示部に表示する表示内容の第１例を示す図
【図１１】第６の実施形態における表示部に表示する表示内容の第２例を示す図
【図１２】本発明の第７の実施形態に係る電力計測装置及び電気機器の外観構成を示す模式図
【発明を実施するための形態】
【００３１】
以下の実施形態では、家庭、オフィスなどにおいて電気機器への供給電力を計測する電力計測装置の構成例について説明する。例えば、計測対象の電気機器の電源プラグを装着可能なＡＣアウトレットを備えた構成などが想定される。計測対象の電気機器としては、冷蔵庫、温水便座装置などが挙げられる。
【００３２】
（第１の実施形態）
図１は本発明の第１の実施形態に係る電力計測装置の構成を示すブロック図である。第１の実施形態の電力計測装置１０Ａは、電流計測部１１、電圧計測部１２、電力演算部１３、開閉状態判断部１４、切替部１５、閉じ状態積算電力保持部１６、開き状態積算電力保持部１７を備えて構成される。電流計測部１１は、電気機器への供給電流を計測するもので、変流器等の電流計測器などにより構成される。電圧計測部１２は、電気機器への供給電圧を計測するもので、交流電圧を計測する電圧計測器などにより構成される。これらの電流計測部１１及び電圧計測部１２は、電力計測装置１０Ａに内蔵する構成としてもよいし、電力計測装置１０Ａと別体に設けてもよい。電力演算部１３は、電流計測部１１による電流計測値と電圧計測部１２による電圧計測値とを入力し、電気機器の供給電力を演算により算出するものである。ここで、電力演算部１３が電力計測部の機能を実現する。電力計測部としては、電流計測部１１、電圧計測部１２を含むものとしてもよい。
【００３３】
開閉状態判断部１４は、開閉状態検出部２１から出力される開閉状態信号に基づき、開閉状態検出部２１により検出された電気機器の所定部位の開閉状態を判断するものである。開閉状態検出部２１としては、例えば冷蔵庫の扉の開閉を検知する開閉センサなどを用いる。この場合、開閉状態判断部１４において判断する開閉状態としては、冷蔵庫の扉等の開き状態と閉じ状態を判断する。切替部１５は、開閉状態判断部１４による開閉状態判断結果に応じて、電力演算部１３により算出した電力値の出力先を切り替える。図示例では、切替部１５は閉じ状態積算電力保持部１６または開き状態積算電力保持部１７に出力先を切り替えて算出電力値を出力する。本実施形態の電力計測装置１０Ａは、マイクロコンピュータを有して構成され、このマイクロコンピュータにおいて所定のプログラムを動作させることにより、上記の電力演算部１３、開閉状態判断部１４、切替部１５の各機能が実現される。
【００３４】
閉じ状態積算電力保持部１６は、第１の状態である閉じ状態の場合の積算電力を保持する。開き状態積算電力保持部１７は、第２の状態である開き状態の場合の積算電力を保持する。これらの閉じ状態積算電力保持部１６、開き状態積算電力保持部１７は、不揮発性メモリ等の記憶装置によって構成される。ここで、切替部１５、閉じ状態積算電力保持部１６、開き状態積算電力保持部１７が状態別電力処理部の機能を実現する。このうち、閉じ状態積算電力保持部１６、開き状態積算電力保持部１７が状態別電力積算部及び状態別積算電力保持部の機能を実現する。
【００３５】
上記構成において、開閉状態検出部２１によって使用している電気機器の所定部位の開閉状態が検出され、開閉状態判断部１４は、開閉状態検出部２１からの開閉状態信号を入力して開き状態または閉じ状態を判断し、開閉状態に応じて切替部１５を切り替える。電力演算部１３によって算出された電力値は、閉じ状態積算電力保持部１６または開き状態積算電力保持部１７に入力され、閉じ状態と開き状態のそれぞれの状態別に電力量が積算される。例えば、冷蔵庫の扉の開閉状態を対象とした場合、扉が閉じたときと開いたときのそれぞれの状態を判断し、切替部１５を切り替えて各状態毎に電力量を積算する。なお、開閉状態判断部の代わりに、人体センサなどの人体検出部の検知信号に基づいて人の存在の有無を判断する存在状態判断部を設け、人の存在状態に応じて状態別に電力量を処理するような構成も可能である。
【００３６】
このように、本実施形態によれば、電気機器の所定部位の開閉状態によって、各状態毎に別々に処理を行って電力量の積算等を行うことが可能になる。よって、開き状態と閉じ状態のそれぞれの電力量を同一の計測装置によって安価に測定し管理することができる。冷蔵庫の扉の開閉状態を対象とした場合、扉を開いた状態での無駄な電力を計測、積算して把握することができる。
【００３７】
（第２の実施形態）
図２は本発明の第２の実施形態に係る電力計測装置の構成を示すブロック図である。第２の実施形態の電力計測装置１０Ｂは、第１の実施形態における切替部１５の代わりに、積算処理部１８を備えている。また、積算電力等を表示する表示部２０を備えている。その他の構成は第１の実施形態と同様であり、同様の構成要素には同一符号を付してここでは説明を省略する。
【００３８】
積算処理部１８は、電力演算部１３により算出された電力値を入力して積算処理を行うもので、開閉状態判断部１４による状態判断結果に応じて、閉じ状態と開き状態の状態毎に電力量を積算する。そして、積算処理部１８は、閉じ状態と開き状態の積算電力量を、それぞれ閉じ状態積算電力保持部１６、開き状態積算電力保持部１７に出力し、状態別に積算電力を保持させる。また、積算処理部１８は、タイマ１９を備えており、開閉状態判断部１４による状態判断結果に応じて、開閉のイベントが発生した時間、回数を取得し、開閉回数、開き時間、閉じ時間等の各状態に関する関連情報を算出し、閉じ状態積算電力保持部１６、開き状態積算電力保持部１７に保持させる。また、積算処理部１８は、閉じ状態積算電力保持部１６及び開き状態積算電力保持部１７に保持してある状態毎の積算電力量、開閉回数、開き時間、閉じ時間等の表示情報を表示部２０に出力する。表示部２０は、液晶表示器、ＬＥＤ表示器等の表示装置により構成され、状態毎の積算電力量等を表示する。この積算処理部１８は、電力演算部１３及び開閉状態判断部１４と同様、電力計測装置に設けたマイクロコンピュータにおいて所定のプログラムを動作させることによって機能が実現される。ここで、積算処理部１８、閉じ状態積算電力保持部１６、開き状態積算電力保持部１７が状態別電力処理部の機能を実現する。このうち、積算処理部１８が状態別電力積算部の機能を実現し、閉じ状態積算電力保持部１６、開き状態積算電力保持部１７が状態別積算電力保持部の機能を実現する。
【００３９】
なお、処理部、表示部等を別体に設けて、例えばパーソナルコンピュータ等の外部機器において処理部、表示部等の機能を持たせて、電力計測装置本体と外部機器とを接続し、電力計測装置では電力量に関するデータ収集のみを行い、外部機器において電力量の積算等の処理、表示などを行う構成としてもよい。
【００４０】
このように、第２の実施形態によれば、第１の実施形態と同様、電気機器の所定部位の開閉状態によって、各状態毎に別々に処理を行って電力量の積算等を行うことが可能であり、例えば冷蔵庫の扉等の開き状態と閉じ状態のそれぞれの電力量を同一の計測装置によって安価に測定し管理することができる。また、状態毎の積算電力等を個別表示することで、各状態における消費電力を容易に判別できるので、省エネルギー対策の実行において容易かつ有効に活用することが可能である。
【００４１】
（第３の実施形態）
図３は本発明の第３の実施形態に係る電力計測装置の外観構成を示す斜視図である。第３の実施形態の電力計測装置１０Ｃは、ＡＣアウトレットを備えたコンセント内蔵型の構成である。あるいは、ＡＣアウトレット及びＡＣプラグを備えたコンセント装着型の構成とすることも可能である。この電力計測装置１０Ｃは、積算電力等を表示する表示部２３、ＡＣアウトレット２４を備えており、ＡＣアウトレット２４に使用機器の電源プラグを装着して電力供給が可能になっている。
【００４２】
電力計測装置１０Ｃは、ＡＣアウトレット２４に接続された電気機器の所定部位の開閉状態によって、開き状態と閉じ状態のそれぞれの状態での機器への供給電力を積算する。この際、図示しない開閉状態検出部からの開閉状態信号に基づき、開閉状態を判断して状態毎の電力量の積算を行う。また、積算電力量とともに、開閉が行われた回数、時間などの関連情報を算出して保持しておく。ここでは、冷蔵庫の扉の開閉状態を対象とした場合を想定する。
【００４３】
図４は表示部２３に表示する表示内容の第１例を示す図である。この第１例は、開閉回数、開き合計時間、電力量の各情報を、１日毎に時系列で表示するものである。この場合、各日の扉の開閉回数、開き状態の合計時間、消費した電力量が表示され、使用者は扉の開閉状態と消費電力との関係を容易に把握できる。これにより、無駄な開閉の回数や開いた時間の長さ、開閉によって生じた無駄な電力を認識し、省エネルギーの対策に有効に活用できる。
【００４４】
図５は表示部２３に表示する表示内容の第２例を示す図である。この第２例は、開き状態での電力量を、１日毎に時系列で表示するものである。この場合、各日の扉を開いた状態において消費した電力量が表示され、使用者は扉の開き状態での無駄な電力を把握できるので、省エネルギーの対策に有効に活用できる。
【００４５】
なお、積算電力量等を表示する場合に、開き状態になった場合のみデータ表示更新間隔を短くするようにしてもよい。このようにすることで、表示内容の無駄な更新を削減することができる。
【００４６】
図６は表示部２３に表示する表示内容の第３例を示す図である。この第３例は、開閉が無い場合の電力量と開閉があった場合の電力量との対比から、開閉回数または開き時間に対する電力量増加分を演算して表示するものである。
【００４７】
この第３例では、冷蔵庫の過去扉が開かなかった日（基準日）の電力量と、本日の経過までの電力量、開閉回数、のべ開き時間と、本日電力量から基準日電力量をさし引いたものを増加電力量として表示する。
【００４８】
このように、第３の実施形態によれば、冷蔵庫の扉等の開閉回数、開き時間、電力量等を表示することで、開閉状態と電力量との関係を使用者が認識でき、省エネルギー対策に活用することが可能である。
【００４９】
（第４の実施形態）
図７は本発明の第４の実施形態に係る電力計測装置及び電気機器の外観構成を示す模式図である。第４の実施形態は、冷蔵庫の扉の開閉状態を対象とした具体例を示したものである。第４の実施形態の電力計測装置１０Ｄは、ＡＣアウトレット及びＡＣプラグを備えたコンセント装着型の構成である。あるいは、ＡＣアウトレットを備えたコンセント内蔵型の構成とすることも可能である。この電力計測装置１０Ｄは、積算電力等を表示する表示部２３、ＡＣアウトレット２４を備えており、ＡＣアウトレット２４に冷蔵庫２５の電源プラグ２６を装着して電力供給が可能になっている。また、電力計測装置１０Ｄには、冷蔵庫２５の扉２７の近傍に設けられた開閉センサ２８が接続され、開閉センサ２８から出力される開閉状態信号に基づいて扉２７の開閉状態を判断し、開き状態と閉じ状態のそれぞれの状態での冷蔵庫２５への供給電力を積算する。
【００５０】
このように、第４の実施形態によれば、冷蔵庫の扉の開き状態と閉じ状態のそれぞれの状態において、各状態毎に別々に処理を行って電力量の積算等を行い、開閉状態に関連する積算電力等の情報を表示することができる。これにより、使用者は、子供等による無駄な開閉回数、開き状態の合計時間、開き状態での無駄な電力、開閉状態と消費電力との関係などを容易に把握でき、省エネルギー対策に有効活用することができる。
【００５１】
また、電力計測装置をコンセントに着脱可能な構成とすることで、取り付けが容易で安価な装置を実現できる。また、電力計測装置を冷蔵庫に内蔵した一体構成とすることも可能である。この場合、一体構成によって省スペース化、低コスト化を図ることができ、例えば表示部を冷蔵庫の前面上部位置に配置することで表示情報の視認性を向上できる。
【００５２】
（第５の実施形態）
図８は本発明の第５の実施形態に係る電力計測装置の構成を示すブロック図である。第５の実施形態の電力計測装置３０Ａは、電流計測部３１、電圧計測部３２、電力演算部３３、開閉状態判断部３４、着座状態判断部３５、切替部３６、３７、閉じ状態積算電力保持部３８、開き状態積算電力保持部３９、座り状態積算電力保持部４０を備えて構成される。電力演算部３３は、電流計測部３１による電流計測値と電圧計測部３２による電圧計測値とを入力し、電気機器の供給電力を演算により算出するものである。電流計測部３１及び電圧計測部３２は、電力計測装置３０Ａに内蔵する構成としてもよいし、電力計測装置３０Ａと別体に設けてもよい。
【００５３】
開閉状態判断部３４は、開閉状態検出部４１から出力される開閉状態信号に基づき、開閉状態検出部４１により検出された電気機器の所定部位の開閉状態を判断するものである。開閉状態検出部４１としては、例えば温水便座装置の蓋の開閉を検知する開閉センサなどを用いる。この場合、開閉状態判断部３４において判断する開閉状態としては、便座の蓋等の開き状態と閉じ状態を判断する。
【００５４】
着座状態判断部３５は、着座状態検出部４２から出力される着座状態信号に基づき、着座状態検出部４２により検出された電気機器の所定の着座部位における着座状態を判断するものである。着座状態検出部４２としては、例えば温水便座装置の便座への人体の着座を検知する人体センサ、着座センサなどを用いる。この場合、着座状態判断部３５において判断する着座状態としては、便座等への座り状態の有無を判断する。
【００５５】
切替部３６、３７は、開閉状態判断部３４による開閉状態判断結果と、着座状態判断部３５による着座状態判断結果とに応じて、電力演算部３３により算出した電力値の出力先を切り替える。図示例では、切替部３６は閉じ状態積算電力保持部３８または開き状態積算電力保持部３９に出力先を切り替え、切替部３７は開き状態積算電力保持部３９または座り状態積算電力保持部４０に出力先を切り替えて、算出電力値を出力する。本実施形態の電力計測装置３０Ａは、マイクロコンピュータを有して構成され、このマイクロコンピュータにおいて所定のプログラムを動作させることにより、上記の電力演算部３３、開閉状態判断部３４、着座状態判断部３５、切替部３６、３７の各機能が実現される。
【００５６】
閉じ状態積算電力保持部３８は、第１の状態である閉じ状態の場合の積算電力を保持する。開き状態積算電力保持部３９は、第２の状態である開き状態の場合の積算電力を保持する。座り状態積算電力保持部４０は、第３の状態である座り状態の場合の積算電力を保持する。ここで、開き状態は、閉じ状態または座り状態でない場合の状態であり、便座の蓋等が開いたままで便座等に人が座っていない状態となる。これらの閉じ状態積算電力保持部３８、開き状態積算電力保持部３９、座り状態積算電力保持部４０は、不揮発性メモリ等の記憶装置によって構成される。
【００５７】
上記構成において、開閉状態検出部４１によって使用している電気機器の所定部位の開閉状態が検出され、開閉状態判断部３４は、開閉状態検出部４１からの開閉状態信号を入力して開き状態または閉じ状態を判断し、開閉状態に応じて切替部３６を切り替える。また、着座状態検出部４２によって使用している電気機器の所定の着座部位の着座状態が検出され、着座状態判断部３５は、着座状態検出部４２からの着座状態信号を入力して座り状態の有無を判断し、着座状態に応じて切替部３７を切り替える。電力演算部３３によって算出された電力値は、閉じ状態積算電力保持部３８または開き状態積算電力保持部３９または座り状態積算電力保持部４０に入力され、閉じ状態、開き状態、座り状態のそれぞれの状態別に電力量が積算される。例えば、温水便座装置の蓋の開閉状態と便座への着座状態を対象とした場合、蓋が閉じたときと開いたとき、及び便座へ人が座ったときのそれぞれの状態を判断し、切替部３６、３７を切り替えて各状態毎に電力量を積算する。なお、着座状態判断部の代わりに、人体センサなどの人体検出部の検知信号に基づいて人の存在の有無を判断する存在状態判断部を設け、人の存在状態に応じて状態別に電力量を処理するような構成も可能である。
【００５８】
このように、本実施形態によれば、電気機器の所定部位の開閉状態と所定の着座部位の着座状態とによって、各状態毎に別々に処理を行って電力量の積算等を行うことが可能になる。よって、開き状態と閉じ状態、及び座り状態のそれぞれにおける電力量を同一の計測装置によって安価に測定し管理することができる。温水便座装置の蓋の開閉状態と便座への着座状態を対象とした場合、蓋を開いて着座していない状態での無駄な電力を計測、積算して把握することができる。
【００５９】
（第６の実施形態）
図９は本発明の第６の実施形態に係る電力計測装置の構成を示すブロック図である。第６の実施形態の電力計測装置３０Ｂは、第５の実施形態における切替部３６、３７の代わりに、積算処理部４５を備えている。また、積算電力等を表示する表示部４７を備えている。その他の構成は第５の実施形態と同様であり、同様の構成要素には同一符号を付してここでは説明を省略する。
【００６０】
積算処理部４５は、電力演算部３３により算出された電力値を入力して積算処理を行うもので、開閉状態判断部３４による開閉状態判断結果と、着座状態判断部３５による着座状態判断結果とに応じて、閉じ状態、開き状態、座り状態のそれぞれの状態毎に電力量を積算する。積算処理部４５は、閉じ状態、開き状態、座り状態のそれぞれの積算電力量を、閉じ状態積算電力保持部３８、開き状態積算電力保持部３９、座り状態積算電力保持部４０に出力し、状態別に積算電力を保持させる。また、積算処理部４５は、タイマ４６を備えており、開閉状態判断部３４による開閉状態判断結果と、着座状態判断部３５による着座状態判断結果とに応じて、開閉及び着座のイベントが発生した時間、回数を取得し、開閉回数、開き時間、閉じ時間、座り時間等の各状態に関する関連情報を算出し、閉じ状態積算電力保持部３８、開き状態積算電力保持部３９、座り状態積算電力保持部４０に保持させる。また、積算処理部４５は、閉じ状態積算電力保持部３８、開き状態積算電力保持部３９、座り状態積算電力保持部４０に保持してある状態毎の積算電力量、開閉回数、開き時間、閉じ時間、座り時間等の表示情報を表示部４７に出力する。表示部４７は、液晶表示器、ＬＥＤ表示器等の表示装置により構成され、状態毎の積算電力量等を表示する。この積算処理部４５は、電力演算部３３、開閉状態判断部３４、着座状態判断部３５と同様、電力計測装置に設けたマイクロコンピュータにおいて所定のプログラムを動作させることによって機能が実現される。
【００６１】
なお、処理部、表示部等を別体に設けて、例えばパーソナルコンピュータ等の外部機器において処理部、表示部等の機能を持たせて、電力計測装置本体と外部機器とを接続し、電力計測装置では電力量に関するデータ収集のみを行い、外部機器において電力量の積算等の処理、表示などを行う構成としてもよい。
【００６２】
以下に、表示部４７における表示内容の例を示す。ここでは、温水便座装置の蓋の開閉状態と便座への着座状態を対象とした場合を想定する。
【００６３】
図１０は表示部４７に表示する表示内容の第１例を示す図である。この第１例は、開き合計時間、座り合計時間、電力量の各情報を、１日毎に時系列で表示するものである。この場合、各日の蓋の開き状態の合計時間、便座への座り状態の合計時間、消費した電力量が表示され、使用者は蓋の開閉状態及び便座への座り状態と、消費電力との関係を容易に把握できる。これにより、無駄な開いた時間の長さ、必要以上の長時間使用、蓋を開いて着座していない状態での蓋の閉め忘れ時間、及び蓋の閉め忘れにより生じた無駄な電力を認識し、省エネルギーの対策に有効に活用できる。
【００６４】
図１１は表示部４７に表示する表示内容の第２例を示す図である。この第２例は、蓋が開いた状態でかつ便座が座り状態でない場合の開き状態での電力量を、１日毎に時系列で表示するものである。この場合、各日の蓋を開いた状態において消費した電力量が表示され、使用者は蓋の閉め忘れによる開き状態での無駄な電力を把握できるので、省エネルギーの対策に有効に活用できる。なお、蓋が開いた状態でかつ便座が座り状態である場合の座り状態での電力量を表示してもよい。この場合、使用者は必要以上の長時間使用による無駄な電力を把握できる。
【００６５】
なお、積算電力量等を表示する場合に、座り状態になった場合のみデータ表示更新間隔を短くするようにしてもよい。このようにすることで、表示内容の無駄な更新を削減することができる。また、座り状態になった場合のみデータを表示するようにしてもよい。これにより、人が居ないときに表示を行う無駄なエネルギー消費を省くことができる。
【００６６】
このように、第６の実施形態によれば、第５の実施形態と同様、電気機器の所定部位の開閉状態と所定の着座部位の着座状態とによって、各状態毎に別々に処理を行って電力量の積算等を行うことが可能であり、例えば温水便座装置の蓋等の開き状態と閉じ状態、及び便座等への座り状態のそれぞれにおける電力量を同一の計測装置によって安価に測定し管理することができる。また、状態毎の積算電力等を個別表示することで、各状態における消費電力を容易に判別できるので、省エネルギー対策の実行において容易かつ有効に活用することが可能である。
【００６７】
（第７の実施形態）
図１２は本発明の第７の実施形態に係る電力計測装置及び電気機器の外観構成を示す模式図である。第７の実施形態は、温水便座装置の蓋の開閉状態と便座への着座状態を対象とした具体例を示したものである。第７の実施形態の電力計測装置３０Ｃは、ＡＣアウトレット及びＡＣプラグを備えたコンセント装着型の構成である。あるいは、ＡＣアウトレットを備えたコンセント内蔵型の構成とすることも可能である。この電力計測装置３０Ｃは、積算電力等を表示する表示部５１、ＡＣアウトレット５２を備えており、ＡＣアウトレット５２に温水便座装置５３の電源プラグ５４を装着して電力供給が可能になっている。また、電力計測装置３０Ｃには、温水便座装置５３の蓋５５の近傍に設けられた開閉センサ５７と、温水便座装置５３の便座５６の近傍に設けられた着座センサ５８とが接続されている。そして、電力計測装置３０Ｃは、開閉センサ５７から出力される開閉状態信号と着座センサ５８から出力される着座状態信号とに基づき、蓋５５の開閉状態と便座５６への着座状態を判断し、開き状態、閉じ状態、座り状態のそれぞれの状態での温水便座装置５３への供給電力を積算する。
【００６８】
このように、第７の実施形態によれば、便座の蓋の開き状態と閉じ状態、及び便座への座り状態のそれぞれの状態において、各状態毎に別々に処理を行って電力量の積算等を行い、開閉状態及び着座状態に関連する積算電力等の情報を表示することができる。これにより、使用者は、使用後の蓋の閉め忘れによる便座温度一定制御による不必要な電力消費、必要以上の長時間の使用による無駄な電力などを具体的に把握できるため、省エネルギー対策に有効活用することができる。
【００６９】
また、電力計測装置をコンセントに着脱可能な構成とすることで、取り付けが容易で安価な装置を実現できる。また、電力計測装置を温水便座装置に内蔵した一体構成とすることも可能である。この場合、一体構成によって省スペース化、低コスト化を図ることができ、例えば表示部を温水便座装置の操作部近傍に配置することで表示情報の視認性を向上できる。
【００７０】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【符号の説明】
【００７１】
１０Ａ、１０Ｂ、１０Ｃ、１０Ｄ  電力計測装置
１１  電流計測部
１２  電圧計測部
１３  電力演算部
１４  開閉状態判断部
１５  切替部
１６  閉じ状態積算電力保持部
１７  開き状態積算電力保持部
１８  積算処理部
１９  タイマ
２０、２３  表示部
２１  開閉状態検出部
２４  ＡＣアウトレット
２５  冷蔵庫
２６  電源プラグ
２７  扉
２８  開閉センサ
３０Ａ、３０Ｂ、３０Ｃ  電力計測装置
３１  電流計測部
３２  電圧計測部
３３  電力演算部
３４  開閉状態判断部
３５  着座状態判断部
３６、３７  切替部
３８  閉じ状態積算電力保持部
３９  開き状態積算電力保持部
４０  座り状態積算電力保持部
４１  開閉状態検出部
４２  着座状態検出部
４５  積算処理部
４６  タイマ
４７、５１  表示部
５２  ＡＣアウトレット
５３  温水便座装置
５４  電源プラグ
５５  蓋
５６  便座
５７  開閉センサ
５８  着座センサ
【図１】
2011027432.tif 000003
【図２】
2011027432.tif 000004
【図３】
2011027432.tif 000005
【図４】
2011027432.tif 000006
【図５】
2011027432.tif 000007
【図６】
2011027432.tif 000008
【図７】
2011027432.tif 000009
【図８】
2011027432.tif 000010
【図９】
2011027432.tif 000011
【図１０】
2011027432.tif 000012
【図１１】
2011027432.tif 000013
【図１２】
2011027432.tif 000014